(57)【要約】【課題】簡便な操作で所望する番組を録画する。【解決手段】ＨＤＤレコーダのＨＤＤ１９は、受信可能な番組毎に、番組の開始日時情報及び終了日時情報を含む番組情報を予め格納する番組情報記憶部１９２を備え、ＭＰＵ１１は、リモコン３を介してユーザからの録画を開始する旨の操作入力が受け付けられた場合に、番組情報記憶部１９２に格納された番組情報に基づいて、映像情報記憶部１９３に格納する番組を選択する番組選択部１１３と、選択された番組を受信して、受信した映像情報を映像情報記憶部１９３に格納すると共に、選択された番組の映像情報記憶部１９３への格納が完了した時点で、録画動作を終了する録画実行部１１４と、を備えている。【選択図】図３
2008219569.tif 000002
【特許請求の範囲】
【請求項１】
テレビジョン放送を受信し、受信した映像情報をＨＤＤに格納するＨＤＤレコーダであって、
受信可能な番組毎に、番組の開始日時情報及び終了日時情報を含む番組情報を予め格納する番組情報記憶手段と、
日時を計測する計時手段と、
外部からの録画を開始する旨の操作入力を受け付けて、録画を開始する旨の操作入力が受け付けられた時点で、前記計時手段によって計測された日時情報である録画開始日時情報を取得し、取得した録画開始日時情報及び前記番組情報記憶手段に格納された番組情報に基づいて、前記ＨＤＤに格納する番組を選択する番組選択手段と、
前記番組選択手段によって選択された番組を受信して、受信した映像情報を前記ＨＤＤに格納すると共に、前記選択された番組の前記ＨＤＤへの格納が完了した時点で、録画動作を終了する録画実行手段と、
前記番組選択手段によって選択される番組を規定する予め設定された期間である選択期間情報を格納する選択期間記憶手段と、
外部からの操作入力を受け付けて、受け付けられた操作入力に基づいて、前記選択期間を設定すると共に、設定された選択期間情報を前記選択期間記憶手段に格納する選択期間設定手段と、
を備え、
前記番組選択手段は、前記録画開始日時が、前記番組情報記憶手段に格納された開始日時と終了日時との間の日時である番組を選択すると共に、前記録画開始日時から前記選択期間後の日時が、前記番組情報記憶手段に格納された開始日時と終了日時との間の日時である番組を選択することを特徴とするＨＤＤレコーダ。
【請求項２】
テレビジョン放送を受信し、受信した映像情報を記録媒体に格納する放送記録装置であって、
受信可能な番組毎に、番組の開始日時情報及び終了日時情報を含む番組情報を予め格納する番組情報記憶手段と、
外部からの録画を開始する旨の操作入力を受け付けて、録画を開始する旨の操作入力が受け付けられた場合に、前記番組情報記憶手段に格納された番組情報に基づいて、前記記録媒体に格納する番組を選択する番組選択手段と、
前記番組選択手段によって選択された番組を受信して、受信した映像情報を前記記録媒体に格納すると共に、前記選択された番組の前記記録媒体への格納が完了した時点で、録画動作を終了する録画実行手段と、
を備えることを特徴とする放送記録装置。
【請求項３】
日時を計測する計時手段を備え、
前記番組選択手段は、録画を開始する旨の操作入力が受け付けられた時点で、前記計時手段によって計測された日時情報である録画開始日時情報を取得し、該録画開始日時情報に基づいて、前記記録媒体に格納する番組を選択することを特徴とする請求項２に記載の放送記録装置。
【請求項４】
前記番組選択手段は、前記録画開始日時が、前記番組情報記憶手段に格納された開始日時と終了日時との間の日時である番組を選択することを特徴とする請求項３に記載の放送記録装置。
【請求項５】
前記番組選択手段によって選択される番組を規定する予め設定された期間である選択期間情報を格納する選択期間記憶手段を備え、
前記番組選択手段は、前記録画開始日時から前記選択期間後の日時が、前記番組情報記憶手段に格納された開始日時と終了日時との間の日時である番組を選択することを特徴とする請求項３又は請求項４に記載の放送記録装置。
【請求項６】
外部からの操作入力を受け付けて、受け付けられた操作入力に基づいて、前記選択期間を設定すると共に、設定された選択期間情報を前記選択期間記憶手段に格納する選択期間設定手段を備えることを特徴とする請求項５に記載の放送記録装置。
【発明の詳細な説明】
【技術分野】
【０００１】
本発明は、テレビジョン放送を受信し、受信した映像情報を記録媒体に格納する放送記録装置に関する。特に、テレビジョン放送を受信し、受信した映像情報をＨＤＤに格納するＨＤＤレコーダに関する。
【背景技術】
【０００２】
近年、デジタル放送の普及に伴い、放送する番組の番組名、放送日時等を含むＥＰＧ（Ｅｌｅｃｔｒｏｎｉｃ  Ｐｒｏｇｒａｍ  Ｇｕｉｄｅ）情報を用いて、利便性良好に録画を行う種々の装置、方法が提案されている。例えば、ＥＰＧ情報から登録された条件を満たす番組を検索して録画予約を行うビデオ記録装置が開示されている（特許文献１参照）。
【特許文献１】特開２００６−１１５２２４号公報
【発明の開示】
【発明が解決しようとする課題】
【０００３】
しかしながら、上記ビデオ記録装置等の従来の放送記録装置においては、予約録画をする場合には、ＥＰＧ情報を用いて利便性良好に録画が行われるが、リモコン等に配設された録画キー等を押下することによって録画が開始される場合には、ＥＰＧ情報は参照されず、リモコン等に配設されたストップキー等が押下されるまで、録画動作が継続されるため、ユーザは、録画を所望する番組だけを録画することが困難であった。すなわち、ユーザが録画を所望する番組だけを録画するためには、録画を終了させるタイミングでストップキー等を押下するか、又は、ＥＰＧ等を介して予約録画を行う必要があり、煩雑な場合があった。
【０００４】
本発明は、上記課題に鑑みてなされたものであって、簡便な操作で所望する番組を録画することの可能な放送記録装置及びＨＤＤレコーダを提供することを目的としている。
【課題を解決するための手段】
【０００５】
上記目的を達成するために請求項１に記載のＨＤＤレコーダは、テレビジョン放送を受信し、受信した映像情報をＨＤＤに格納するＨＤＤレコーダであって、受信可能な番組毎に、番組の開始日時情報及び終了日時情報を含む番組情報を予め格納する番組情報記憶手段と、日時を計測する計時手段と、外部からの録画を開始する旨の操作入力を受け付けて、録画を開始する旨の操作入力が受け付けられた時点で、前記計時手段によって計測された日時情報である録画開始日時情報を取得し、取得した録画開始日時情報及び前記番組情報記憶手段に格納された番組情報に基づいて、前記ＨＤＤに格納する番組を選択する番組選択手段と、前記番組選択手段によって選択された番組を受信して、受信した映像情報を前記ＨＤＤに格納すると共に、前記選択された番組の前記ＨＤＤへの格納が完了した時点で、録画動作を終了する録画実行手段と、前記番組選択手段によって選択される番組を規定する予め設定された期間である選択期間情報を格納する選択期間記憶手段と、外部からの操作入力を受け付けて、受け付けられた操作入力に基づいて、前記選択期間を設定すると共に、設定された選択期間情報を前記選択期間記憶手段に格納する選択期間設定手段と、を備え、前記番組選択手段が、前記録画開始日時が、前記番組情報記憶手段に格納された開始日時と終了日時との間の日時である番組を選択すると共に、前記録画開始日時から前記選択期間後の日時が、前記番組情報記憶手段に格納された開始日時と終了日時との間の日時である番組を選択することを特徴としている。
【０００６】
請求項２に記載の放送記録装置は、テレビジョン放送を受信し、受信した映像情報を記録媒体に格納する放送記録装置であって、受信可能な番組毎に、番組の開始日時情報及び終了日時情報を含む番組情報を予め格納する番組情報記憶手段と、外部からの録画を開始する旨の操作入力を受け付けて、録画を開始する旨の操作入力が受け付けられた場合に、前記番組情報記憶手段に格納された番組情報に基づいて、前記記録媒体に格納する番組を選択する番組選択手段と、前記番組選択手段によって選択された番組を受信して、受信した映像情報を前記記録媒体に格納すると共に、前記選択された番組の前記記録媒体への格納が完了した時点で、録画動作を終了する録画実行手段と、を備えることを特徴としている。
【０００７】
請求項３に記載の放送記録装置は、請求項２に記載の放送記録装置であって、日時を計測する計時手段を備え、前記番組選択手段が、録画を開始する旨の操作入力が受け付けられた時点で、前記計時手段によって計測された日時情報である録画開始日時情報を取得し、該録画開始日時情報に基づいて、前記記録媒体に格納する番組を選択することを特徴としている。
【０００８】
請求項４に記載の放送記録装置は、請求項３に記載の放送記録装置であって、前記番組選択手段が、前記録画開始日時が、前記番組情報記憶手段に格納された開始日時と終了日時との間の日時である番組を選択することを特徴としている。
【０００９】
請求項５に記載の放送記録装置は、請求項３又は請求項４に記載の放送記録装置であって、前記番組選択手段によって選択される番組を規定する予め設定された期間である選択期間情報を格納する選択期間記憶手段を備え、前記番組選択手段が、前記録画開始日時から前記選択期間後の日時が、前記番組情報記憶手段に格納された開始日時と終了日時との間の日時である番組を選択することを特徴としている。
【００１０】
請求項６に記載の放送記録装置は、請求項５に記載の放送記録装置であって、外部からの操作入力を受け付けて、受け付けられた操作入力に基づいて、前記選択期間を設定すると共に、設定された選択期間情報を前記選択期間記憶手段に格納する選択期間設定手段を備えることを特徴としている。
【発明の効果】
【００１１】
請求項１に記載のＨＤＤレコーダによれば、受信可能な番組毎に、番組の開始日時情報及び終了日時情報を含む番組情報が予め番組情報記憶手段に格納されており、外部からの録画を開始する旨の操作入力が受け付けられて、録画を開始する旨の操作入力が受け付けられた場合に、番組情報記憶手段に格納された番組情報に基づいて、ＨＤＤに格納する番組が選択され、選択された番組が受信されて、受信された映像情報がＨＤＤに格納されると共に、選択された番組のＨＤＤへの格納が完了した時点で、録画動作が終了されるため、簡便な操作で所望する番組を録画することができる。
【００１２】
すなわち、録画を開始する旨の操作入力が受け付けられた場合に、番組情報記憶手段に格納された番組情報に基づいて、ＨＤＤに格納する番組が選択され（例えば、録画を開始する旨の操作入力が受け付けられた日時が、開始日時と終了日時との間の日時である番組が選択され）、選択された番組が受信されて、受信された映像情報がＨＤＤに格納されると共に、選択された番組のＨＤＤへの格納が完了した時点で、録画動作が終了されるため、録画を所望する番組の後に受信される不要な番組が録画されることを防止することができるので、簡便な操作で所望する番組を録画することができるのである。
【００１３】
また、日時が計測され、録画を開始する旨の操作入力が受け付けられた時点で計測された日時情報である録画開始日時情報が取得され、この録画開始日時情報に基づいて、ＨＤＤに格納する番組が選択されるため、簡便な操作で所望する番組を確実に録画することができる。
【００１４】
すなわち、録画を開始する旨の操作入力が受け付けられた時点で計測された日時情報である録画開始日時情報に基づいて、ＨＤＤに格納する番組が選択されるため、例えば、録画を開始する旨の操作入力が受け付けられた日時が、開始日時と終了日時との間の日時である番組を選択することができるので、簡便な操作で所望する番組を確実に録画することができるのである。
【００１５】
更に、録画を開始する旨の操作入力が受け付けられた時点で計測された日時である録画開始日時が、番組情報記憶手段に格納された開始日時と終了日時との間の日時である番組が選択されるため、簡便な操作で所望する番組を確実に録画することができる。
【００１６】
加えて、選択される番組を規定する予め設定された期間である選択期間情報が選択期間記憶手段に格納されており、録画開始日時から選択期間後の日時が、番組情報記憶手段に格納された開始日時と終了日時との間の日時である番組が選択されるため、簡便な操作で所望する番組を更に確実に録画することができる。
【００１７】
すなわち、録画開始日時から選択期間後の日時が、番組情報記憶手段に格納された開始日時と終了日時との間の日時である番組が選択されるため、予約録画と同様に、所望する番組の放送が開始される前に録画を開始する旨の操作入力を行うことによって、所望する番組を録画することができるので、簡便な操作で所望する番組を更に確実に録画することができるのである。
【００１８】
また、外部からの操作入力が受け付けられて、受け付けられた操作入力に基づいて、選択期間が設定されると共に、設定された選択期間情報が選択期間記憶手段に格納されるため、利便性良好に所望する番組を録画することができる。
【００１９】
すなわち、番組の選択に用いられる選択期間を設定することができるため、ユーザが録画を開始する旨の操作入力を行う前に、適正な選択期間を設定することができるので、利便性良好に所望する番組を録画することができるのである。
【００２０】
請求項２に記載の放送記録装置によれば、受信可能な番組毎に、番組の開始日時情報及び終了日時情報を含む番組情報が予め番組情報記憶手段に格納されており、外部からの録画を開始する旨の操作入力が受け付けられて、録画を開始する旨の操作入力が受け付けられた場合に、番組情報記憶手段に格納された番組情報に基づいて、記録媒体に格納する番組が選択され、選択された番組が受信されて、受信された映像情報が記録媒体に格納されると共に、選択された番組の記録媒体への格納が完了した時点で、録画動作が終了されるため、簡便な操作で所望する番組を録画することができる。
【００２１】
すなわち、録画を開始する旨の操作入力が受け付けられた場合に、番組情報記憶手段に格納された番組情報に基づいて、記録媒体に格納する番組が選択され（例えば、録画を開始する旨の操作入力が受け付けられた日時が、開始日時と終了日時との間の日時である番組が選択され）、選択された番組が受信されて、受信された映像情報が記録媒体に格納されると共に、選択された番組の記録媒体への格納が完了した時点で、録画動作が終了されるため、録画を所望する番組の後に受信される不要な番組が録画されることを防止することができるので、簡便な操作で所望する番組を録画することができるのである。
【００２２】
請求項３に記載の放送記録装置によれば、日時が計測され、録画を開始する旨の操作入力が受け付けられた時点で計測された日時情報である録画開始日時情報が取得され、この録画開始日時情報に基づいて、記録媒体に格納する番組が選択されるため、簡便な操作で所望する番組を確実に録画することができる。
【００２３】
すなわち、録画を開始する旨の操作入力が受け付けられた時点で計測された日時情報である録画開始日時情報に基づいて、記録媒体に格納する番組が選択されるため、例えば、録画を開始する旨の操作入力が受け付けられた日時が、開始日時と終了日時との間の日時である番組を選択することができるので、簡便な操作で所望する番組を確実に録画することができるのである。
【００２４】
請求項４に記載の放送記録装置によれば、録画を開始する旨の操作入力が受け付けられた時点で計測された日時である録画開始日時が、番組情報記憶手段に格納された開始日時と終了日時との間の日時である番組が選択されるため、簡便な操作で所望する番組を確実に録画することができる。
【００２５】
請求項５に記載の放送記録装置によれば、選択される番組を規定する予め設定された期間である選択期間情報が選択期間記憶手段に格納されており、録画開始日時から選択期間後の日時が、番組情報記憶手段に格納された開始日時と終了日時との間の日時である番組が選択されるため、簡便な操作で所望する番組を更に確実に録画することができる。
【００２６】
すなわち、録画開始日時から選択期間後の日時が、番組情報記憶手段に格納された開始日時と終了日時との間の日時である番組が選択されるため、予約録画と同様に、所望する番組の放送が開始される前に録画を開始する旨の操作入力を行うことによって、所望する番組を録画することができるので、簡便な操作で所望する番組を更に確実に録画することができるのである。
【００２７】
請求項６に記載の放送記録装置によれば、外部からの操作入力が受け付けられて、受け付けられた操作入力に基づいて、選択期間が設定されると共に、設定された選択期間情報が選択期間記憶手段に格納されるため、利便性良好に所望する番組を録画することができる。
【００２８】
すなわち、番組の選択に用いられる選択期間を設定することができるため、ユーザが録画を開始する旨の操作入力を行う前に、適正な選択期間を設定することができるので、利便性良好に所望する番組を録画することができるのである。
【発明を実施するための最良の形態】
【００２９】
以下に本発明の実施形態を、図面を参照しながら説明する。図１は、本発明に係るＨＤＤレコーダの構成の一例を示すブロック図である。ＨＤＤレコーダ１（放送記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００３０】
ＨＤＤレコーダ１は、リモコン３を介してユーザからの操作入力を受け付けて、受け付けた操作入力に基づいて、テレビジョン放送を受信し、受信した番組情報を格納するものである。また、ＨＤＤレコーダ１は、格納された番組情報を読み出して再生し、出力装置２に対して映像及び音声を出力するものである。
【００３１】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報を外部から視認可能に表示するものである。スピーカ２２は、ＨＤＤレコーダ１から入力された音声情報を出力するものである。
【００３２】
リモコン３（番組選択手段の一部、選択期間設定手段の一部に相当する）は、複数のキーを備え、ユーザからの操作入力を受け付けて、受け付けられた操作入力に対応する赤外線信号を生成して、ＨＤＤレコーダ１に対して出力するものである（図２参照）。
【００３３】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００３４】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３５】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（録画実行手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３６】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３７】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３８】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３９】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００４０】
ＨＤＤ（Ｈａｒｄ  Ｄｉｓｋ  Ｄｒｉｖｅ）１９（記録媒体に相当する）は、ＭＰＵ１１からの指示に従って映像情報、音声情報等の種々の情報を格納するものである。
【００４１】
次に、ＨＤＤレコーダ１が放送を受信する場合の動作について説明する。まず、送信されてきたデジタル放送波がアンテナ部１５１で受信される。リモコン３（又は、操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００４３】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００４４】
図２は、リモコン３の外観の一例を示す正面図である。リモコン３は、録画キー３１、及び、ストップキー３２を備えている。録画キー３１は、番組情報を録画する場合に押下されるキーである。ストップキー３２は、録画及び再生動作を終了する場合に押下されるキーである。
【００４５】
従来のＨＤＤレコーダ等の放送録画装置では、録画キー３１が押下されて録画が開始された場合には、ストップキー３２が押下されて録画が終了されるまで、録画動作が継続されるため、ユーザは、録画を所望する番組だけを録画することが困難であった。すなわち、ユーザが録画を所望する番組だけを録画するためには、録画を終了させるタイミングでストップキー３２を押下するか、又は、ＥＰＧ等を介して予約録画を行う必要があり、煩雑な場合があった。
【００４６】
図３は、本発明に係るＨＤＤレコーダ１における主要部の構成の一例を示す機能構成図である。ＭＰＵ１１は、機能的に、選択期間設定部１１１、計時部１１２、番組選択部１１３、録画実行部１１４、及び、番組情報更新部１１５を備え、ＨＤＤ１９は、機能的に、選択期間記憶部１９１、番組情報記憶部１９２、及び、映像情報記憶部１９３を備えている。
【００４７】
ここでは、ＭＰＵ１１が、図１に示すＲＯＭ１３等に予め格納された制御プログラムを読み出して実行することにより、選択期間設定部１１１、計時部１１２、番組選択部１１３、録画実行部１１４、番組情報更新部１１５等の機能部として機能すると共に、ＨＤＤ１９を、選択期間記憶部１９１、番組情報記憶部１９２、映像情報記憶部１９３等の機能部として機能させるものである。
【００４８】
また、図１に示すＲＡＭ１２及びＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４９】
選択期間記憶部１９１（選択期間記憶手段に相当する）は、番組選択部１１３によって選択される番組を規定する予め設定された期間である選択期間情報を格納するものである。また、選択期間記憶部１９１に格納される選択期間情報は、選択期間設定部１１１によって設定されるものである。
【００５０】
番組情報記憶部１９２（番組情報記憶手段に相当する）は、受信可能な番組毎に、番組の開始日時情報及び終了日時情報を含む番組情報を予め格納するものである。また、番組情報記憶部１９２に格納される番組情報は、番組情報更新部１１５によって更新されるものである。
【００５１】
映像情報記憶部１９３は、録画実行部１１４によって受信部１５を介して受信された映像情報を格納するものである。
【００５２】
選択期間設定部１１１（選択期間設定手段の一部に相当する）は、リモコン３を介してユーザからの操作入力を受け付けて、受け付けられた操作入力に基づいて、番組選択部１１３によって選択される番組を規定する期間である選択期間を設定すると共に、設定された選択期間情報を選択期間記憶部１９１に格納するものである。
【００５３】
計時部１１２（計時手段に相当する）は、日時を計測するものである。
【００５４】
番組選択部１１３（番組選択手段の一部に相当する）は、リモコン３を介してユーザからの録画を開始する旨の操作入力（ここでは、図２に示す録画キー３１の押下）を受け付けて、録画を開始する旨の操作入力が受け付けられた時点で、計時部１１２によって計測された日時情報である録画開始日時情報を取得し、取得した録画開始日時情報及び番組情報記憶部１９２に格納された番組情報に基づいて、映像情報記憶部１９３に格納する（＝録画する）番組を選択するものである。
【００５５】
具体的には、番組選択部１１３は、録画開始日時が、番組情報記憶部１９２に格納された開始日時と終了日時との間の日時である番組（以下、第１番組という）を選択すると共に、録画開始日時から選択期間後の日時が、番組情報記憶部１９２に格納された開始日時と終了日時との間の日時である番組（以下、第２番組という）を選択するものである。更に、番組選択部１１３は、第１番組と第２番組との間に同一チャンネルにおいて受信部１５を介して受信される全ての番組（以下、第３番組という）を選択するものである。
【００５６】
録画実行部１１４（録画実行手段の一部に相当する）は、番組選択部１１３によって選択された番組を、受信部１５を介して受信して、受信した映像情報を映像情報記憶部１９３に格納すると共に、選択された全ての番組（第１番組、第２番組、及び、第３番組）の映像情報記憶部１９３への格納が完了した時点で、録画動作を終了するものである。
【００５７】
番組情報更新部１１５（番組情報更新手段の一部に相当する）は、受信部１５を介して、ＥＰＧを逐次受信して、番組情報記憶部１９２に番組情報を格納する（＝更新する）ものである。
【００５８】
図４は、ＨＤＤレコーダ１（主にＭＰＵ１１）の動作の一例を示すフローチャートである。なお、ここでは、便宜上、選択期間設定部１１１によって、予め選択期間が設定され、選択期間記憶部１９１に格納されている場合について説明する。まず、番組選択部１１３によって、録画を開始する旨の操作入力（＝図２に示す録画キー３１の押下）が受け付けられたか否かの判定が行われる（Ｓ１０１）。録画を開始する旨の操作入力が受け付けられていないと判定された場合（Ｓ１０１でＮＯ）には、処理が待機状態とされる。
【００５９】
録画を開始する旨の操作入力が受け付けられたと判定された場合（Ｓ１０１でＹＥＳ）には、番組選択部１１３によって、計時部１１２により計測された日時情報である録画開始日時情報が取得される（Ｓ１０３）。そして、番組選択部１１３によって、番組情報記憶部１９２に格納された番組情報が読み出される（Ｓ１０５）。次いで、番組選択部１１３によって、映像情報記憶部１９３に格納する（＝録画する）番組（第１番組、第２番組、及び、第３番組）が選択される（Ｓ１０７）。
【００６０】
次に、録画実行部１１４によって、ステップＳ１０７において選択された第２番組の終了日時が、録画動作を終了する日時（＝録画終了日時）として設定される（Ｓ１０９）。そして、録画実行部１１４によって、ステップＳ１０７において選択された全ての番組（第１番組、第２番組、及び、第３番組）の録画が実行される（Ｓ１１１）。次に、録画実行部１１４によって、録画終了日時に到達したか否かの判定が行われる（Ｓ１１３）。録画終了日時に到達していないと判定された場合（Ｓ１１３でＮＯ）には、処理がステップＳ１１１に戻され、ステップＳ１１１以降の処理が繰り返し実行される。録画終了日時に到達したと判定された場合（Ｓ１１３でＹＥＳ）には、処理が終了される。
【００６１】
図５は、図４に示すフローチャートのステップＳ１０７において実行される番組選択処理の一例を示す説明図である。図の横軸は時間Ｔであり、時刻Ｔ１Ｓにおいて番組Ａが開始され、時刻Ｔ１Ｅ（＝時刻Ｔ２Ｓ）において番組Ａが終了されると共に、番組Ｂが開始される。また、時刻Ｔ２Ｅ（＝時刻Ｔ３Ｓ）において番組Ｂが終了されると共に、番組Ｃが開始される。更に、時刻Ｔ３Ｅ（＝時刻Ｔ４Ｓ）において番組Ｃが終了されると共に、番組Ｄが開始され、時刻Ｔ４Ｅにおいて番組Ｄが終了される。また、番組Ａの途中の（＝番組Ａの開始時刻Ｔ１Ｓと終了時刻Ｔ１Ｅとの間の）録画開始時刻ＴＡにおいて、録画を開始する旨の操作入力（ここでは、図２に示す録画キー３１の押下）が受け付けられている。
【００６２】
（ａ）は、選択期間設定部１１１に格納された選択期間が「０」である場合に、番組選択部１１３によって選択される番組を示す図であり、（ｂ）は、選択期間設定部１１１に選択期間Ｐ１が格納されている場合に、番組選択部１１３によって選択される番組を示す図であり、（ｃ）は、選択期間設定部１１１に選択期間Ｐ１より長い期間である選択期間Ｐ２が格納されている場合に、番組選択部１１３によって選択される番組を示す図である。
【００６３】
（ａ）に示すように、選択期間が「０」である場合には、録画開始時刻ＴＡが番組Ａの開始時刻Ｔ１Ｓと終了時刻Ｔ１Ｅとの間の時刻であるため、番組Ａが第１番組として選択され、第２番組及び第３番組は選択されない。従って、この場合には、録画実行部１１４によって、図の両矢印で示す録画開始時刻ＴＡから番組Ａの終了時刻Ｔ１Ｅまでの映像が録画される。
【００６４】
（ｂ）に示すように、選択期間Ｐ１が設定されている場合には、録画開始時刻ＴＡが番組Ａの開始時刻Ｔ１Ｓと終了時刻Ｔ１Ｅとの間の時刻であるため、番組Ａが第１番組として選択される。また、録画開始時刻ＴＡから選択期間Ｐ１経過後の時刻ＴＢ１が、番組Ｂの開始時刻Ｔ２Ｓと終了時刻Ｔ２Ｅとの間の時刻であるため、番組Ｂが第２番組として選択される。番組Ａと番組Ｂとは隣接しているため、第３番組は選択されない。従って、この場合には、録画実行部１１４によって、図の両矢印で示す録画開始時刻ＴＡから番組Ｂの終了時刻Ｔ２Ｅまでの映像が録画される。
【００６５】
（ｃ）に示すように、選択期間Ｐ１より長い期間である選択期間Ｐ２が設定されている場合には、録画開始時刻ＴＡが番組Ａの開始時刻Ｔ１Ｓと終了時刻Ｔ１Ｅとの間の時刻であるため、番組Ａが第１番組として選択される。また、録画開始時刻ＴＡから選択期間Ｐ２経過後の時刻ＴＢ２が、番組Ｃの開始時刻Ｔ３Ｓと終了時刻Ｔ３Ｅとの間の時刻であるため、番組Ｃが第２番組として選択される。更に、番組Ａと番組Ｃとの間には番組Ｂが放送されるため、番組Ｂが第３番組として選択される。従って、この場合には、録画実行部１１４によって、図の両矢印で示す録画開始時刻ＴＡから番組Ｃの終了時刻Ｔ３Ｅまでの映像が録画される。
【００６６】
このようにして、受信可能な番組毎に、番組の開始日時情報及び終了日時情報を含む番組情報が予め番組情報記憶部１９２に格納されており、リモコン３を介してユーザからの録画を開始する旨の操作入力（ここでは、図２に示す録画キー３１の押下）が受け付けられて、録画を開始する旨の操作入力が受け付けられた場合に、番組情報記憶部１９２に格納された番組情報に基づいて、映像情報記憶部１９３に格納する番組が選択され、選択された番組が受信部１５を介して受信されて、受信された映像情報が映像情報記憶部１９３に格納されると共に、選択された番組の映像情報記憶部１９３への格納が完了した時点で、録画動作が終了されるため、簡便な操作で所望する番組を録画することができる。
【００６７】
すなわち、録画を開始する旨の操作入力が受け付けられた場合に、番組情報記憶部１９２に格納された番組情報に基づいて、映像情報記憶部１９３に格納する番組が選択され（例えば、録画を開始する旨の操作入力が受け付けられた日時が、開始日時と終了日時との間の日時である番組が選択され）、選択された番組が受信部１５を介して受信されて、受信された映像情報が映像情報記憶部１９３に格納されると共に、選択された番組の映像情報記憶部１９３への格納が完了した時点で、録画動作が終了されるため、録画を所望する番組の後に受信される不要な番組が録画されることを防止することができるので、簡便な操作で所望する番組を録画することができるのである。
【００６８】
また、日時が計測され、録画を開始する旨の操作入力が受け付けられた時点で計測された日時情報である録画開始日時情報が取得され、この録画開始日時情報に基づいて、映像情報記憶部１９３に格納する番組が選択されるため、簡便な操作で所望する番組を確実に録画することができる。
【００６９】
すなわち、録画を開始する旨の操作入力が受け付けられた時点で計測された日時情報である録画開始日時情報（例えば、図５に示す録画開始時刻ＴＡ）に基づいて、映像情報記憶部１９３に格納する番組が選択されるため、例えば、録画を開始する旨の操作入力が受け付けられた日時が、開始日時と終了日時との間の日時である番組を選択することができるので、簡便な操作で所望する番組を確実に録画することができるのである。
【００７０】
更に、録画を開始する旨の操作入力が受け付けられた時点で計測された日時である録画開始日時が、番組情報記憶部１９２に格納された開始日時と終了日時との間の日時である番組が選択されるため、簡便な操作で所望する番組を確実に録画することができる。
【００７１】
加えて、選択される番組を規定する予め設定された期間である選択期間情報が選択期間記憶部１９１に格納されており、録画開始日時（例えば、図５に示す録画開始時刻ＴＡ）から選択期間（例えば、図５に示す選択期間Ｐ１、Ｐ２）後の日時（例えば、図５に示す時刻ＴＢ１、ＴＢ２）が、番組情報記憶部１９２に格納された開始日時と終了日時との間の日時である番組（＝第２番組）が選択されるため、簡便な操作で所望する番組を更に確実に録画することができる。
【００７２】
すなわち、録画開始日時（例えば、図５に示す録画開始時刻ＴＡ）から選択期間（例えば、図５に示す選択期間Ｐ１、Ｐ２）後の日時（例えば、図５に示す時刻ＴＢ１、ＴＢ２）が、番組情報記憶部１９２に格納された開始日時と終了日時との間の日時である番組（＝第２番組）が選択されるため、予約録画と同様に、所望する番組の放送が開始される前に録画を開始する旨の操作入力を行うことによって、所望する番組を録画することができるので、簡便な操作で所望する番組を更に確実に録画することができるのである。
【００７３】
また、リモコン３を介してユーザからの操作入力が受け付けられて、受け付けられた操作入力に基づいて、選択期間（例えば、図５に示す選択期間Ｐ１、Ｐ２）が設定されると共に、設定された選択期間情報が選択期間記憶部１９１に格納されるため、利便性良好に所望する番組を録画することができる。
【００７４】
すなわち、番組の選択に用いられる選択期間（例えば、図５に示す選択期間Ｐ１、Ｐ２）を設定することができるため、ユーザが録画を開始する旨の操作入力を行う前に、適正な選択期間を設定することができるので、利便性良好に所望する番組を録画することができるのである。
【００７５】
なお、本発明は、以下の形態にも適用可能である。
（Ａ）本実施形態では、放送記録装置が、ＨＤＤレコーダ１である場合について説明したが、放送記録装置が、テレビジョン放送を受信し、受信した映像情報を記録媒体に格納する装置であればよい。例えば、放送記録装置が、ＤＶＤレコーダである形態でもよい。
【００７６】
（Ｂ）本実施形態では、ＭＰＵ１１が、選択期間設定部１１１、計時部１１２、番組選択部１１３、録画実行部１１４、及び、番組情報更新部１１５として機能する場合について説明したが、少なくとも１の機能部が回路等のハードウェアによって実現されている形態でもよい。
【００７７】
（Ｃ）本実施形態では、番組選択部１１３が、第１番組、第２番組及び第３番組を選択する場合について説明したが、番組選択部１１３が、第１番組、第２番組及び第３番組の少なくともいずれか１の番組を選択する形態であればよい。例えば、番組選択部１１３が、第１番組のみを選択する形態でもよいし、番組選択部１１３が、第３番組のみを選択する形態でもよい。また、番組選択部１１３が、第２番組及び第３番組を選択する形態でもよい。更に、番組選択部１１３が、第１番組、第２番組及び第３番組の内、選択する番組を、リモコンを介して設定可能に構成されている形態でもよい。
【図面の簡単な説明】
【００７８】
【図１】は、本発明に係るＨＤＤレコーダの構成の一例を示すブロック図である。
【図２】は、リモコンの外観の一例を示す正面図である。
【図３】は、本発明に係るＨＤＤレコーダにおける主要部の構成の一例を示す機能構成図である。
【図４】は、ＨＤＤレコーダ（主にＭＰＵ）の動作の一例を示すフローチャートである。
【図５】は、図４に示すフローチャートのステップＳ１０７において実行される番組選択処理の一例を示す説明図である。
【符号の説明】
【００７９】
１    ＨＤＤレコーダ（放送記録装置）
１１    ＭＰＵ
１１１    選択期間設定部（選択期間設定手段の一部）
１１２    計時部（計時手段）
１１３    番組選択部（番組選択手段の一部）
１１４    録画実行部（録画実行手段の一部）
１１５    番組情報更新部（番組情報更新手段の一部）
１９    ＨＤＤ
１９１    選択期間記憶部（選択期間記憶手段）
１９２    番組情報記憶部（番組情報記憶手段）
１９３    映像情報記憶部
１５    受信部（録画実行手段の一部）
２    出力装置
２１    ディスプレイ（モニタ）
３    リモコン（番組選択手段の一部、選択期間設定手段の一部）
３１    録画キー
３２    ストップキー
【図１】
2008219569.tif 000003
【図２】
2008219569.tif 000004
【図３】
2008219569.tif 000005
【図４】
2008219569.tif 000006
【図５】
2008219569.tif 000007